(57)【要約】【課題】ターンテーブルの操作感を維持しつつ、ＤＪが求める音声処理機能を容易に実現する。【解決手段】専用レコードＲ０に記録された音声信号を読み取る読取部５１と、専用レコードＲ０を再生操作するためのプラッター１１および専用レコードＲ０の少なくとも一方に対するユーザーの操作を検出する検出部５３と、読取部５１により読み取った音声信号に基づく第１のキャリア信号に、検出部５３の検出結果に基づく第２のキャリア信号を重畳して出力する出力部５４と、を備えた。【選択図】図２
2014235768.tif 000002
【特許請求の範囲】
【請求項１】
記録媒体に記録された音声信号を読み取る読取部と、
前記記録媒体を再生操作するための回転機構および前記記録媒体の少なくとも一方に対する操作を検出する検出部と、
前記読取部により読み取った前記音声信号に基づく第１のキャリア信号に、前記検出部の検出結果に基づく第２のキャリア信号を重畳して出力する出力部と、を備えたことを特徴とする音声再生装置。
【請求項２】
前記検出部は、前記回転機構の駆動状態を検出することを特徴とする請求項１に記載の音声再生装置。
【請求項３】
前記検出部は、前記回転機構の回転速度を検出することを特徴とする請求項２に記載の音声再生装置。
【請求項４】
前記検出部は、前記回転機構の駆動のＯＮ／ＯＦＦを検出することを特徴とする請求項２または３に記載の音声再生装置。
【請求項５】
前記検出部は、前記回転機構の回転方向を検出することを特徴とする請求項２ないし４のいずれか１項に記載の音声再生装置。
【請求項６】
前記検出部は、前記回転機構または前記記録媒体への接触の有無を検出することを特徴とする請求項１ないし５のいずれか１項に記載の音声再生装置。
【請求項７】
請求項１ないし６のいずれか１項に記載の音声再生装置と、
前記出力部から出力された前記第１のキャリア信号および前記第２のキャリア信号に基づいて、音声処理を行う音声処理装置と、を備えたことを特徴とする音声再生システム。
【請求項８】
前記音声処理装置は、
前記第１のキャリア信号および前記第２のキャリア信号に基づいて、再生速度が変化しても音程を変えない処理であるマスターテンポ処理の有無、および、再生位置を可変する操作が行われた場合でもバックグラウンドで通常再生を継続して操作後通常再生位置に戻すことができる処理であるスリップ処理の有無、の少なくとも一方を判別し、当該判別結果に応じて、音声コンテンツの再生制御を行うことを特徴とする請求項７に記載の音声再生システム。
【請求項９】
音声再生装置が、
記録媒体に記録された音声信号を読み取る読取ステップと、
前記記録媒体を再生操作するための回転機構および前記記録媒体の少なくとも一方に対する操作を検出する検出ステップと、
前記読取ステップで読み取った前記音声信号に基づく第１のキャリア信号に、前記検出ステップの検出結果に基づく第２のキャリア信号を重畳して出力する出力ステップと、を実行することを特徴とする音声再生装置の制御方法。
【請求項１０】
コンピューターに、請求項９に記載の音声再生装置の制御方法における各ステップを実行させるためのプログラム。
【発明の詳細な説明】
【技術分野】
【０００１】
本発明は、タイムコードが記録された専用媒体を用いてＤＪアプリケーションを操作し、デジタルコンテンツの再生制御を行うための音声再生装置、音声再生システム、音声再生装置の制御方法、プログラムに関する。
【背景技術】
【０００２】
従来、この種の技術として、ＤＶＳ（Digital  Vinyl  System）が知られている（例えば、特許文献１参照）。ＤＶＳの一般的な仕組みは、以下の通りである。まず、ターンテーブルでタイムコード（時間の情報）が記録された専用レコードを再生し、そのタイムコードを、オーディオインターフェースにてＡ／Ｄ変換した後、コンピューターに送信する。コンピューター（コンピューターにインストールされたＤＪアプリケーション（以下、「ＤＪアプリ」と称する））は、再生中の楽曲データから、送信されたタイムコードに対応する音声信号を抽出し、オーディオインターフェースに送信する。オーディオインターフェースは、送信された音声信号をミキサーに出力する。ミキサーは、当該音声信号をパワーアンプおよびスピーカーから成る音声出力手段に出力する。このように、ＤＶＳでは、アナログ機器であるターンテーブルを用いてデジタルコンテンツを操作することができ、操作性と利便性を兼ね備えたＤＪパフォーマンスを実現できる。
【先行技術文献】
【特許文献】
【０００３】
【特許文献１】特表２００３−５２５５１０号公報
【発明の概要】
【発明が解決しようとする課題】
【０００４】
このような利点から、プロＤＪにも根強い人気を誇るＤＶＳであるが、デジタルＤＪ機器では既に一般的となっている機能を利用できないといった問題がある。例えば、ＤＪアプリの音声処理機能として、ＭＴ（Master  Tempo）機能（再生速度を変えても音程が変わらない機能）やＳＬＩＰ機能（スクラッチなど出音がその場に留まる操作をしてもバックグラウンドで楽曲を再生し続ける機能）が知られているが、現状では、ＤＪアプリの設定をＯＮ／ＯＦＦで手動切替するしかない。このため、ＤＪアプリ側でＭＴ機能を「ＯＮ設定」にしていた場合、ターンテーブルでスクラッチ操作を行っても、ＤＪアプリでＭＴ処理が行われてしまい、違和感のあるスクラッチ音が出力されてしまう、といった不具合がある。また、スクラッチ操作中に、手動でＭＴ機能のＯＮ／ＯＦＦを切り替える方法も考えられるが、操作が煩雑となり、現実的ではない。
【０００５】
本発明は、上記の問題点に鑑み、ターンテーブルの操作感を維持しつつ、ＤＪが求める音声処理機能を容易に実現可能な音声再生装置、音声再生システム、音声再生装置の制御方法、プログラムを提供することを目的とする。
【課題を解決するための手段】
【０００６】
本発明の音声再生装置は、記録媒体に記録された音声信号を読み取る読取部と、記録媒体を再生操作するための回転機構および記録媒体の少なくとも一方に対する操作を検出する検出部と、読取部により読み取った音声信号に基づく第１のキャリア信号に、検出部の検出結果に基づく第２のキャリア信号を重畳して出力する出力部と、を備えたことを特徴とする。
【０００７】
上記の音声再生装置において、検出部は、回転機構の駆動状態を検出することを特徴とする。
【０００８】
上記の音声再生装置において、検出部は、回転機構の回転速度を検出することを特徴とする。
【０００９】
上記の音声再生装置において、検出部は、回転機構の駆動のＯＮ／ＯＦＦを検出することを特徴とする。
【００１０】
上記の音声再生装置において、検出部は、回転機構の回転方向を検出することを特徴とする。
【００１１】
上記の音声再生装置において、検出部は、回転機構または記録媒体への接触の有無を検出することを特徴とする。
【００１２】
本発明の音声再生システムは、上記の音声再生装置と、出力部から出力された第１のキャリア信号および第２のキャリア信号に基づいて、音声処理を行う音声処理装置と、を備えたことを特徴とする。
【００１３】
上記の音声再生システムにおいて、音声処理装置は、第１のキャリア信号および第２のキャリア信号に基づいて、再生速度が変化しても音程を変えない処理であるマスターテンポ処理の有無、および、再生位置を可変する操作が行われた場合でもバックグラウンドで通常再生を継続して操作後通常再生位置に戻すことができる処理であるスリップ処理の有無、の少なくとも一方を判別し、当該判別結果に応じて、音声コンテンツの再生制御を行うことを特徴とする。
【００１４】
本発明の音声再生装置の制御方法は、音声再生装置が、記録媒体に記録された音声信号を読み取る読取ステップと、記録媒体を再生操作するための回転機構および記録媒体の少なくとも一方に対する操作を検出する検出ステップと、読取ステップで読み取った音声信号に基づく第１のキャリア信号に、検出ステップの検出結果に基づく第２のキャリア信号を重畳して出力する出力ステップと、を実行することを特徴とする。
【００１５】
本発明のプログラムは、コンピューターに、上記の音声再生装置の制御方法における各ステップを実行させることを特徴とする。
【図面の簡単な説明】
【００１６】
【図１】本発明の一実施形態に係る音声再生システムのシステム構成図である。
【図２】音声再生システムの機能ブロック図である。
【図３】ＤＪアプリにおけるＤＶＳ処理の流れを示すフローチャートである。
【図４】第１実施形態に係るターンテーブルのブロック図である。
【図５】各付加情報のｂｉｔ表現の一例を示す図である。
【図６】付加キャリア信号のｂｉｔ配列の一例を示す図である。
【図７】ターンテーブルの操作とＤＪアプリ制御方法の関係を示す表である。
【図８】第２実施形態に係るターンテーブルのブロック図である。
【図９】バースト波のインターバルとモーター回転速度の関係、付加情報のステータス表現の一例を示す図である。
【図１０】バースト波の送信イメージの一例を示す図である。
【発明を実施するための形態】
【００１７】
［第１実施形態］
以下、本発明の音声再生装置、音声再生システム、音声再生装置の制御方法、プログラムについて、添付図面を参照しながら詳細に説明する。本実施形態では、本発明の音声再生装置を、ＤＪが操作するターンテーブルに適用した場合について例示する。
【００１８】
図１は、本発明の一実施形態に係る音声再生システムＳＹのシステム構成図である。音声再生システムＳＹは、２台のターンテーブル１と、オーディオインターフェース２と、パーソナルコンピューター３（音声処理装置，以下、「ＰＣ３」と称する）と、ミキサー４と、を備えている。
【００１９】
各ターンテーブル１は、アナログレコード盤Ｒ（記録媒体，以下、「レコード盤Ｒ」と称する）を載置するプラッター１１（回転機構）、針を支持するトーンアーム１２、プラッター１１の回転速度（＝モーターの回転速度＝レコード盤Ｒの再生速度）を調整するためのピッチコントローラー１３、等を備えている。なお、ピッチコントローラー１３は、同図に示したようなスライド式のつまみに限らず、回転式のつまみなど、その形態は問わない。
【００２０】
各ターンテーブル１は、レコード盤Ｒから読み取った音声信号を、ＬｃｈおよびＲｃｈの２チャンネルアナログ信号（以下、「キャリア信号」とも称する）として、オーディオインターフェース２に出力する。なお、本実施形態では、ＤＶＳ（Digital  Vinyl  System）を想定しているため、レコード盤Ｒとして、タイムコードが記録された専用レコードＲ０を読み取るものとする。
【００２１】
オーディオインターフェース２は、各ターンテーブル１から出力された２チャンネルアナログ信号（タイムコード）を入力し、これをＡ／Ｄ変換する。また、Ａ／Ｄ変換したデジタル信号を、ＵＳＢインターフェース等を介して、ＰＣ３に出力する。
【００２２】
ＰＣ３は、ディスプレイ、キーボード、マウス、ハードディスクドライブなど、一般的なコンピューターの構成を有しており、ハードディスクドライブには、ＤＶＳを実現するためのＤＪアプリケーション３１（以下、「ＤＪアプリ３１」と称する）が格納されている。また、ＰＣ３は、オーディオインターフェース２から入力されたデジタル信号からタイムコードを抽出し、再生中の楽曲データの当該タイムコードに相当する音声信号を、オーディオインターフェース２に出力する。なお、楽曲データは、ＰＣ３内にあっても良いし、ＰＣ３と通信可能な外部機器または外部サーバー内にあっても良い。以下の説明では、楽曲データがＰＣ３内に記憶されているものとする。
【００２３】
オーディオインターフェース２は、ＰＣ３から、ＵＳＢインターフェース等を介して音声信号が入力されると、これをＤ／Ａ変換し、ＬｃｈおよびＲｃｈの２チャンネルアナログ信号として、ミキサー４に出力する。ミキサー４は、入力されたアナログ信号に対し、ミキサー４に搭載された各種操作子の操作状態に応じた音声処理（２台のターンテーブル１の操作に基づく２種類の音声信号のミキシング処理など）を行う。その後、ミキサー４は、パワーアンプおよびスピーカーから成る音声出力手段（図示省略）に、処理済み音声信号を出力する。
【００２４】
次に、図２を参照し、音声再生システムＳＹの機能構成について説明する。ターンテーブル１は、主な機能構成として、読取部５１、駆動部５２、検出部５３および出力部５４を備えている。読取部５１は、タイムコードが刻まれた円盤状の記録媒体である専用レコードＲ０から音声信号（タイムコード）を読み取る。駆動部５２は、プラッター１１を回転駆動するものであり、モーターによって実現される。
【００２５】
検出部５３は、専用レコードＲ０（レコード盤Ｒ）やプラッター１１に対するユーザーの操作を検出する。具体的に、本実施形態では、ユーザーの操作によって変化するプラッター１１の駆動状態（ピッチコントローラー１３によって調整されるモーターの回転速度、モーターの駆動のＯＮ／ＯＦＦ）と、専用レコードＲ０に対する手の接触の有無を検出する。なお、接触の有無については、専用レコードＲ０、プラッター１１またはターンテーブル１本体に搭載された各種検出手段によって検出を行うものとする。例えば、プラッター１１に設けられたタッチセンサーまたは圧力センサー、ターンテーブル１本体に設けられた近接センサー等が考えられる。なお、以下の説明では、タッチセンサーを用いるものとする。
【００２６】
出力部５４は、読取部５１により読み取った音声信号に基づいて生成される第１のキャリア信号に、検出部５３の検出結果に基づいて生成される第２のキャリア信号を重畳し、アナログキャリア信号としてオーディオインターフェース２に出力する。なお、第２のキャリア信号の生成方法については、後に詳述する（付加キャリア信号生成部８０，図４参照）。
【００２７】
オーディオインターフェース２は、主な機能構成として、Ａ／Ｄ変換部６１を備えている。Ａ／Ｄ変換部６１は、第１のキャリア信号と第２のキャリア信号が合成されたアナログ信号を、デジタル信号に変換する。
【００２８】
ＰＣ３は、主な機能構成として、デコード部７１、音声コンテンツ記憶部７２、機能設定部７３および音声処理部７４を備えている。なお、これら各部は、主にＤＪアプリ３１によって実現される。デコード部７１は、オーディオインターフェース２から出力されたデジタル信号から、各種ステータスのデコード処理を行う。具体的には、第１のキャリア信号から、タイムコードをデコードし、第２のキャリア信号から、各種付加情報（モーター回転速度情報、モーターＯＮ／ＯＦＦ情報、タッチセンサーＯＮ／ＯＦＦ情報）をデコードする。なお、付加情報のデコード方法については後述する。
【００２９】
音声コンテンツ記憶部７２は、楽曲データやサンプリング音源等の音声コンテンツを記憶する。機能設定部７３は、ＤＪアプリ３１の各種機能を設定する。本実施形態では、ＭＴ（Master  Tempo）機能（再生速度が変化しても音程を変えない機能）のＯＮ／ＯＦＦ、並びにＳＬＩＰ機能（スクラッチなど再生位置を可変する操作が行われた場合でもバックグラウンドで通常再生を継続して操作後通常再生位置に戻すことができる機能）のＯＮ／ＯＦＦを設定可能であるものとする。音声処理部７４は、デコード部７１のデコード結果および機能設定部７３の設定に基づき、音声コンテンツ記憶部７２に記憶された音声コンテンツの音声処理を行う。特に本実施形態では、ＭＴ機能やＳＬＩＰ機能が「ＯＮ設定」の場合、第２のキャリア信号のデコード結果（付加情報）に応じて、ＭＴ処理やＳＬＩＰ処理の自動切替制御を行う。
【００３０】
ここで、図３のフローチャートを参照し、ＰＣ３（ＤＪアプリ３１）におけるＤＶＳ処理の流れを説明する。ＰＣ３（ＤＪアプリ３１）は、オーディオインターフェース２からデジタル信号を取得すると、タイムコードのデコードおよび付加情報のデコードを行う（Ｓ０１，Ｓ０２）。続いて、ＭＴ機能のユーザー設定を判別し（Ｓ０３）、ＭＴ機能が「ＯＮ設定」の場合は（Ｓ０３：Ｙｅｓ）、付加情報に基づいてＭＴフラグの自動ＯＮ／ＯＦＦ制御を行う（Ｓ０４）。つまり、付加情報が、ＭＴ処理を実行すべき情報であった場合はＭＴフラグを「ＯＮ」にし、そうでない場合は「ＯＦＦ」にする。一方、ＭＴ機能が「ＯＦＦ設定」の場合は（Ｓ０３：Ｎｏ）、付加情報に関わらずＭＴフラグを「ＯＦＦ」にする（Ｓ０５）。
【００３１】
ＰＣ３は、さらにＳＬＩＰ機能のユーザー設定を判別し（Ｓ０６）、ＳＬＩＰ機能が「ＯＮ設定」の場合は（Ｓ０６：Ｙｅｓ）、付加情報に基づいてＳＬＩＰフラグの自動ＯＮ／ＯＦＦ制御を行う（Ｓ０７）。つまり、付加情報が、ＳＬＩＰ処理を実行すべき情報であった場合はＳＬＩＰフラグを「ＯＮ」にし、そうでない場合は「ＯＦＦ」にする。一方、ＳＬＩＰ機能が「ＯＦＦ設定」の場合は（Ｓ０６：Ｎｏ）、付加情報に関わらずＳＬＩＰフラグを「ＯＦＦ」にする（Ｓ０８）。
【００３２】
ＰＣ３は、その後ＭＴフラグの状態を判別し（Ｓ０９）、ＭＴフラグが「ＯＮ」の場合は（Ｓ０９：Ｙｅｓ）、ＭＴ処理を実行する（Ｓ１０）。つまり、再生速度が変化しても音程が変化しないように処理する。一方、ＭＴフラグが「ＯＦＦ」の場合は（Ｓ０９：Ｎｏ）、ＭＴ処理をスキップする（Ｓ１１）。同様に、ＳＬＩＰフラグの状態を判別し（Ｓ１２）、ＳＬＩＰフラグが「ＯＮ」の場合は（Ｓ１２：Ｙｅｓ）、ＳＬＩＰ処理を実行する（Ｓ１３）。つまり、スクラッチなどのエフェクト操作中にバックグラウンドで楽曲を再生し続けることにより、エフェクト操作後でも原曲の展開を変えることなくＤＪパフォーマンスを行えるように処理する。一方、ＳＬＩＰフラグが「ＯＦＦ」の場合は（Ｓ１２：Ｎｏ）、ＳＬＩＰ処理をスキップする（Ｓ１４）。その後、ＰＣ３は、ＭＴ処理およびＳＬＩＰ処理以外のＤＶＳ処理を実行し（Ｓ１５）、Ｓ０１にリターンする。
【００３３】
次に、図４ないし図６を参照し、ターンテーブル１における第２のキャリア信号の生成方法について説明する。なお、第２のキャリア信号は、付加情報に基づいて生成される信号であるため、以下「付加キャリア信号」とも称する。まず、付加情報について説明する。モーター回転速度情報は、駆動部５２（モーター）の回転速度を検出する周波数発生器（図示省略）の出力値を示す情報である。なお、モーター回転速度情報は、ピッチコントローラー１３の設定を加味した情報である。また、モーターＯＮ／ＯＦＦ情報は、駆動部５２（モーター）の駆動／停止（ターンテーブル１の電源のＯＮ／ＯＦＦ）を示す情報である。さらに、タッチセンサーＯＮ／ＯＦＦ情報は、タッチセンサーの検出の有無を示す情報である。
【００３４】
本実施形態に係る付加キャリア信号生成部８０は、以下の符号８１ないし９５から成る。モーター回転速度情報は、デジタルエンコーダー８１によって１０ｂｉｔのｂｉｔデータに変換される（図５（ａ）参照）。また、モーターＯＮ／ＯＦＦ情報は、デジタルエンコーダー８２によって１ｂｉｔのｂｉｔデータに変換される（図５（ｂ）参照）。さらに、タッチセンサーＯＮ／ＯＦＦ情報は、デジタルエンコーダー８３によって１ｂｉｔのｂｉｔデータに変換される（図５（ｃ）参照）。
【００３５】
その後、合成部８４により、変換された各ｂｉｔデータが合成されると共に、合成されたデータの先頭を識別するためのヘッダーが付加される（図６参照）。その後、Ｌｃｈ用のｂｉｔデータ列は、Ｌｃｈ用同期出力部８５により、所定のキャリア周波数ｆ（例えば、１５ｋＨｚ）で出力される。同様に、Ｒｃｈ用のｂｉｔデータ列は、Ｒｃｈ用同期出力部８６により、所定のキャリア周波数ｆ（例えば、１５ｋＨｚ）で出力される。一方、矩形波出力部８７は、所定のキャリア周波数ｆ（例えば、１５ｋＨｚ）でＡＭ変調するための信号を生成・出力する。出力部８５，８６の出力は出力部８７に同期して出力され、出力部８５，８６，８７から出力された信号は、それぞれＬＰＦ（Low  Pass  Filter）８８，８９，９０に入力されてアナログ化され、アナログサイン波が生成される。さらに、ＬＰＦ８８，８９，９０から出力された信号は、それぞれレベル変調器９１，９２，９３に入力される。
【００３６】
レベル変調器９１，９３でレベル変調された信号は、加算器９４で合成された後、さらに加算器９６により、Ｌｃｈ用のタイムコード用キャリア信号（第１のキャリア信号）に合成される。一方、レベル変調器９２，９３でレベル変調された信号は、加算器９５で合成された後、加算器９７により、Ｒｃｈ用のタイムコード用キャリア信号に合成される。合成された各チャンネルのキャリア信号は、オーディオインターフェース２を介して、ＰＣ３（ＤＪアプリ３１）に出力される。なお、タイムコード用キャリア信号は、専用レコードＲ０の再生信号（所定のキャリア周波数（例えば、１ｋＨｚ）でＡＭ変調された信号）である。
【００３７】
一方、ＰＣ３（ＤＪアプリ３１）では、図６の表にしたがって、デコード処理を行う。このとき、ヘッダーは、付加情報を読み取るトリガー信号として用いられる。ＤＪアプリ３１は、デコード後の情報を用いて、図７に示す制御を行う。
【００３８】
例えば、ターンテーブル１において、レコード盤Ｒ（専用レコードＲ０）にノータッチの状態で電源ＯＮされた場合（つまり、通常再生の場合）、「各種ステータス」欄に示すように、タイムコード「有」、モーター回転速度情報の推移「通常」、モーターＯＮ／ＯＦＦ情報「ＯＮ」、タッチセンサーＯＮ／ＯＦＦ情報「ＯＦＦ」を示す付加キャリア信号が出力される。ＤＪアプリ３１は、当該付加キャリア信号のデコード結果から、「モーターＯＮ」且つ「回転速度とタイムコード一致」と判別し、ＭＴフラグ「ＯＮ」且つＳＬＩＰフラグ「ＯＦＦ」に設定する。また、ターンテーブル１においてリバース再生が行われた場合も、同様の設定を行う。
【００３９】
また、ＤＪ特有のエフェクト操作として、レコード盤Ｒにノータッチの状態で電源ＯＮからＯＦＦに切り替え徐々に低速化させる操作があるが、この操作が行われた場合は、タイムコード「有」、モーター回転速度情報の推移「徐々に遅く」、モーターＯＮ／ＯＦＦ情報「ＯＦＦ」、タッチセンサーＯＮ／ＯＦＦ情報「ＯＦＦ」を示す付加キャリア信号が出力される。ＤＪアプリ３１は、当該付加キャリア信号のデコード結果から、「モーターＯＮからＯＦＦ」且つ「回転速度低速へ変化」と判別し、ＭＴフラグ「ＯＦＦ」且つＳＬＩＰフラグ「ＯＮ」に設定する。これにより、ＭＴ処理がスキップされるため、ユーザーが意図する（違和感のない）エフェクト効果が得られる。
【００４０】
同様に、レコード盤Ｒにノータッチの状態で電源ＯＦＦからＯＮに切り替えて徐々に高速化させるエフェクト操作が行われた場合は、タイムコード「有」、モーター回転速度情報の推移「徐々に速く」、モーターＯＮ／ＯＦＦ情報「ＯＮ」、タッチセンサーＯＮ／ＯＦＦ情報「ＯＦＦ」を示す付加キャリア信号が出力される。ＤＪアプリ３１は、当該付加キャリア信号のデコード結果から、「モーターＯＦＦからＯＮ」且つ「回転速度高速へ変化」且つ「タッチセンサーＯＦＦ」と判別し、ＭＴフラグ「ＯＦＦ」且つＳＬＩＰフラグ「ＯＮ」に設定する。この場合も、ＭＴ処理がスキップされるため、ユーザーが意図するエフェクト効果が得られる。なお、「タッチセンサーＯＦＦ」を判別するのは、後述する「スクラッチ」や「ベンド」の操作と区別するためである。
【００４１】
また、レコード盤Ｒがストップされた場合は、タイムコード「なし」、モーター回転速度情報の推移「通常」、モーターＯＮ／ＯＦＦ情報「ＯＮ」、タッチセンサーＯＮ／ＯＦＦ情報「ＯＮ」を示す付加キャリア信号が出力される。ＤＪアプリ３１は、当該付加キャリア信号のデコード結果から、「モーターＯＮ」且つ「タイムコードなし」且つ「回転速度とタイムコード不一致」と判別し、ＭＴフラグを前回設定値に設定し、且つＳＬＩＰフラグを「ＯＮ」に設定する。
【００４２】
また、スクラッチ操作（ＤＪがレコード盤Ｒを直接触り、針の読み取る方向を前後にずらして特殊な音を出す操作）が行われた場合は、タイムコード「有」、モーター回転速度情報の推移「通常」、モーターＯＮ／ＯＦＦ情報「ＯＮ」、タッチセンサーＯＮ／ＯＦＦ情報「ＯＮ」を示す付加キャリア信号が出力される。ＤＪアプリ３１は、当該付加キャリア信号のデコード結果から、「モーターＯＮ」且つ「タッチセンサーＯＮ」且つ「回転速度とタイムコード大きく不一致」と判別し、ＭＴフラグ「ＯＦＦ」且つＳＬＩＰフラグ「ＯＮ」に設定する。これにより、スクラッチ操作時にＭＴ処理が行われてしまい、ユーザーの意図しない音が出力されてしまうことを防止できる。
【００４３】
また、ベンド操作（レコード盤Ｒの回転速度を調整することにより、他方のターンテーブル１で再生されている音声信号との同期をとるための操作）が行われた場合は、タイムコード「有」、モーター回転速度情報の推移「通常」、モーターＯＮ／ＯＦＦ情報「ＯＮ」、タッチセンサーＯＮ／ＯＦＦ情報「ＯＮ」を示す付加キャリア信号が出力される。ＤＪアプリ３１は、当該付加キャリア信号のデコード結果から、「モーターＯＮ」且つ「タッチセンサーＯＮ」且つ「回転速度とタイムコード少し不一致」と判別し、ＭＴフラグ「ＯＮ」且つＳＬＩＰフラグ「ＯＦＦ」に設定する。これにより、ベンド操作時にＳＬＩＰ処理が行われてしまい、ベンド操作の効果が得られなくなってしまうことを防止できる。なお、スクラッチ操作とベンド操作は、回転速度とタイムコードのずれ量が所定の閾値で以上であるか否かで判別される。
【００４４】
以上説明したとおり、本実施形態によれば、ターンテーブル１により、タイムコード用のキャリア信号に、付加情報用のキャリア信号を重畳して出力するため、ＤＪアプリ３１側で、ＤＪの操作を判別できる。これにより、ＤＪアプリ３１側でＭＴ／ＳＬＩＰ処理の自動切替制御を実現でき、ひいては、ＤＪが望むエフェクト効果を得ることができる。また、ＭＴ／ＳＬＩＰ処理の自動切替制御を実現するために、ＤＪの特段の操作を必要とせず、且つ使い慣れたターンテーブル１の操作感を維持することができるため、パフォーマンスに影響を与えることがない。
【００４５】
なお、上記の実施形態では、プラッター１１の回転速度として、駆動部５２（モーター）の回転速度を検出したが、これに代えて、ピッチコントローラー１３の設定値を検出しても良い。
【００４６】
また、上記の実施形態では、ターンテーブル１に、読取部５１、駆動部５２、検出部５３および出力部５４を備えた構成を例示したが、このうち出力部５４をオーディオインターフェース２に備えても良い。すなわち、請求項における「音声再生装置」を、ターンテーブル１とオーディオインターフェース２で実現しても良い。
【００４７】
また、上記の実施形態では、オーディオインターフェース２とミキサー４を別体としたが、これらを一体化しても良い。すなわち、請求項における「音声再生装置」を、当該一体化した装置で実現しても良い。この場合、ミキサー４は、第１のキャリア信号に第２のキャリア信号を重畳したアナログ信号をデジタル信号に変換して出力することとなる（出力部）。
【００４８】
また、上記の実施形態では、専用レコードＲ０への接触の有無を検出するためにタッチセンサーを用いたが、これを省略しても良い。この場合、第１のキャリア信号から得られるタイムコードと、第２のキャリア信号から得られるモーター回転速度情報との差異に基づいて、専用レコードＲ０への接触の有無を検出可能である。この構成によれば、ターンテーブル１の装置構成を簡素化することができると共に、低廉化を図ることができる。
【００４９】
［第２実施形態］
次に、図８ないし図１０を参照し、本発明の第２実施形態について説明する。本実施形態は、付加キャリア信号生成部１１０（具体的には、付加情報をアナログ信号に変換するまでの処理）が第１実施形態と異なる。また、付加情報として、プラッター１１（モーター）の回転方向を検出する点も異なる。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５０】
図８は、第２実施形態に係るターンテーブル１のブロック図である。本実施形態の付加キャリア信号生成部１１０は、以下の符号１１１ないし１１７から成る。まず、モーター回転速度情報が入力される回転信号生成部１１１は、駆動部５２（モーター）の回転速度に合わせて、特定のパルス波形を生成する信号発生器である。また、モーターＯＮ／ＯＦＦ情報、モーター回転方向情報およびタッチセンサーＯＮ／ＯＦＦ情報が入力されるパターン信号生成部１１２は、モーターの回転速度に合わせて回転方向（ＦＷＤ／ＲＥＶ）を検出し、当該回転方向とタッチセンサーの信号に基づいて特定のパルス波形を生成する信号発生器である。また、キャリア信号発生部１１３は、各生成部１１１，１１２から入力された特定のパルス波形を、キャリア信号を所定数個束ねたバースト波に変換する信号発生器である。
【００５１】
図９（ａ）は、バースト波のインターバルと、モーター回転速度の関係を示す表である。同図に示すように、キャリア信号発生部１１３で生成されるバースト波のインターバルは、モーター回転速度に応じて決定される。
【００５２】
また、図９（ｂ）は、Ｌｃｈ用バースト波の情報を示す表である。パターン信号生成部１１２は、モーターＯＮ／ＯＦＦ情報および回転方向情報に応じてステータスを決定し、決定したステータスを含むパルス波形を生成する。そして、キャリア信号発生部１１３は、入力されたパルス波形のステータスに応じて、Ｌｃｈ用バースト波の数およびバースト波長を決定する。なお、モーターＯＮ／ＯＦＦ情報が「ＯＦＦ」の場合、モーター回転方向は得られないため、同表では、「Don't  Care」と記載している。
【００５３】
また、図９（ｃ）は、Ｒｃｈ用バースト波の情報を示す表である。パターン信号生成部１１２は、タッチセンサーＯＮ／ＯＦＦ情報および拡張機能の検出結果に応じてステータスを決定し、決定したステータスを含むパルス波形を生成する。そして、キャリア信号発生部１１３は、入力されたパルス波形のステータスに応じて、Ｒｃｈ用バースト波の数およびバースト波長を決定する。なお、拡張機能としては、ターンテーブル１に対するユーザーの操作を示す情報（例えば、回転数のモード切替（３３回転モード／４５回転モード）に付随する情報）など、上記に示した情報以外の付加情報を追加可能である。
【００５４】
図８の説明に戻る。ＬＰＦ１１４，１１５は、キャリア信号発生部１１３から、ＬｃｈおよびＲｃｈ用のバースト波を入力し、それぞれＬｃｈおよびＲｃｈ用のアナログサイン波を生成する。また、レベル変調器１１６，１１７は、それぞれＬｃｈおよびＲｃｈ用のアナログサイン波をレベル変調する。そして、加算器１１８，１１９は、レベル変調されたアナログサイン波（第２のキャリア信号＝付加キャリア信号）を、それぞれＬｃｈおよびＲｃｈのタイムコード用キャリア信号（第１のキャリア信号）に合成する。
【００５５】
図１０は、バースト波の送信イメージの一例を示す図である。同図では、１回目および２回目の検出でモーター回転速度「＋２０％」が検出され、３回目および４回目の検出でモーター回転速度「＋１０％」が検出され、さらに各回でモーターＯＮ／ＯＦＦ情報「ＯＮ」および回転方向「＋」（つまり、Ｌｃｈ＝Ｓｔａｔｕｓ２，図９（ｂ）参照）、並びに各回でタッチセンサー情報「ＯＦＦ」および拡張機能「ＯＦＦ」（つまり、Ｒｃｈ＝Ｓｔａｔｕｓ１，図９（ｃ）参照）が検出された場合の送信イメージを示している。
【００５６】
ＤＪアプリ３１は、このようなバースト波が入力されると、付加キャリア信号からバースト波の間隔を測定し、モーター回転速度を判別する。また、その他の付加情報（モーターＯＮ／ＯＦＦ、モーター回転方向およびタッチセンサーＯＮ／ＯＦＦ）に関しては、パターンタイミングによりステータスを取り出し、各情報を判別する。
【００５７】
以上説明したとおり、本発明の第２実施形態によれば、バースト波を用いて、ターンテーブル１の付加情報を、ＰＣ３（ＤＪアプリ３１）に伝えることができる。
【００５８】
以上、２つの実施形態を示したが、各実施形態に示した音声再生システムＳＹ（特に、ターンテーブル１）の各構成要素をプログラムとして提供することが可能である。また、そのプログラムを各種記録媒体（ＣＤ−ＲＯＭ、フラッシュメモリー等）に格納して提供することも可能である。すなわち、コンピューターを音声再生システムＳＹの各構成要素として機能させるためのプログラム、およびそれを記録した記録媒体も、本発明の権利範囲に含まれる。
【００５９】
また、上記の各実施形態では、本発明の音声再生装置をターンテーブル１に適用した場合を例示したが、ＣＤを再生するＣＤプレーヤー（図示省略）に適用しても良い。この場合、プラッター１１をジョグダイヤル（回転機構）、モーター回転速度を再生スピード、モーターＯＮ／ＯＦＦをＰＬＡＹ／ＰＡＵＳＥと、読み替えれば良い。また、本構成において、オーディオインターフェース２は不要である。さらに、タッチセンサーは、ジョグダイヤルに設けられる。
【００６０】
また、上記の各実施形態では、本発明の音声処理装置をＰＣに適用した場合を例示したが、スマートフォンなどの各種情報処理端末で実現しても良い。また、クラウドコンピューティングに本発明を適用し、ＤＪアプリ３１をサーバー上で動作させても良い。その他、本発明の要旨を逸脱しない範囲で、適宜変更が可能である。
【符号の説明】
【００６１】
１…ターンテーブル  ２…オーディオインターフェース  ３…パーソナルコンピューター  ４…ミキサー  １１…プラッター  １２…トーンアーム  １３…ピッチコントローラー  ３１…ＤＪアプリケーション  ５１…読取部  ５２…駆動部  ５３…検出部  ５４…出力部  ６１…Ａ／Ｄ変換部  ７１…デコード部  ７２…音声コンテンツ記憶部  ７３…機能設定部  ７４…音声処理部  Ｒ…レコード盤  Ｒ０…専用レコード  ＳＹ…音声再生システム
【図１】
2014235768.tif 000003
【図２】
2014235768.tif 000004
【図３】
2014235768.tif 000005
【図４】
2014235768.tif 000006
【図５】
2014235768.tif 000007
【図６】
2014235768.tif 000008
【図７】
2014235768.tif 000009
【図８】
2014235768.tif 000010
【図９】
2014235768.tif 000011
【図１０】
2014235768.tif 000012